【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
ターゲットイメージを表す，入力された強度情報から位相情報を取り出す方法であって，
複数の要素を有する第１データセットを確立する工程であって，前記複数の要素の各要素は位相情報および振幅情報を含み，前記振幅情報は前記入力された強度情報から導き出されるものである工程と，
複数の要素を有する第２データセットを作り出すために第１データセットをフーリエ変換する工程であって，前記複数の要素の各要素は位相情報および振幅情報を含む工程と，
記憶装置の中の前記第２データセットからの位相情報を量子化し，保存する工程と，
複数の要素を有する第３データセットを生成する工程であって，前記複数の要素の各要素は振幅情報及び位相情報を含み，前記位相情報は，前記第２データセットから導き出される工程と，
複数の要素を有する第４データセットを作り出すために前記第３データセットを逆フーリエ変換する工程であって，前記複数の要素の各要素は振幅情報及び位相情報を含む工程と，
複数の要素を有する第５データセットを作り出すために，入力されたデータによって第４データセットを修正する工程であって，前記複数の要素の各要素は振幅情報及び位相情報を含む工程と，
続いて起こる反復の第１データセットとして前記第５データセットを使用する工程と，
を繰り返す工程を含み，さらに，
前記第２データセットの前記振幅情報と前記ターゲットイメージの前記振幅情報との間の差を形成する工程と，
前記第３データセットの前記振幅情報を前記差の率に応じて定めるように設定する工程と，
を含む方法。
【請求項２】
ｎ番目の反復に対する第５データセットの位相情報を，（ｎ＋１）番目の反復に対する第1データセットの位相情報として利用する工程を含む，請求項１に記載の方法。
【請求項３】
（ｎ＋１）番目の反復に対する前記第１データセットの前記振幅情報は，前記ｎ番目の反復に対するターゲットイメージ強度情報と前記第５データセットの振幅情報との間で率に応じて定められた形式である，請求項１に記載の方法。
【請求項４】
前記第３データセットの振幅情報を統一に設定する工程を含む，請求項１に記載の方法。
【請求項５】
前記第１反復に対する前記第１データセットとして，ランダムな位相情報を生成する工程を含む，請求項１に記載の方法。
【請求項６】
前記入力された強度データが時と共に変化する請求項１に記載の方法。
【請求項７】
前記入力された強度データが変化する前に，少なくとも１回の反復を完了させる工程を含む，請求項６に記載の方法。
【請求項８】
リアルタイムホログラフィック投影方法であって，
一時的な一連の強度情報項目（フレーム）を受信する工程と，
請求項１に記載の方法を使って，比例制御フィードバックを用いる反復方法によって，各フレームの遠視野回析パターン又はターゲットイメージの前記位相情報を取り出す工程と，
前記位相情報を空間光変調器に出力する工程と，
平行光源を有する空間光変調器を連続的に照射する工程と，
ホログラフィックリプレイフィールドを作り出すために，前記空間光変調器から反射される又は前記空間光変調器を通して送信される位相を修正した光を収集する及び焦点を合わせる工程と，
を含む方法。
【請求項９】
従来のビデオ速度で前記一連のフレームを受信する工程を含む，請求項８に記載の投影方法。
【請求項１０】
前記フィードバックが振幅情報および位相情報を含むデータセットである，請求項８に記載の投影方法。
【請求項１１】
前記一連のターゲットイメージを表すものとして，ヒト観察者に認識されうる前記ターゲットイメージのダイナミックなホログラフィック表示を生じさせるために，前記フェーズ情報計算の十分な反復がフレーム間の時間で完成するようにフィードバックデータを最適化する工程を含む，請求項１０に記載の投影の方法。
【請求項１２】
ゼロを有する出力された位相情報の周辺部を埋める工程を含む，請求項８に記載の投影方法。
【請求項１３】
受信フレームの受信速度と同じ又は受信フレームの受信速度よりも早い更新速度で位相情報データを有する空間光変調器を更新する工程を含む，請求項８に記載の投影方法。
【請求項１４】
入力されたターゲットイメージ強度情報のリアルタイムホログラフィック表示を作り出すための装置であって，
一時的な一連のターゲットイメージ強度情報項目を受信する手段と，
請求項１に記載の方法を実施する処理手段と，
を含み，
ここで，前記位相情報は各ターゲットイメージを取り出され，
空間光変調器と，
前記空間光変調器を照射するために配置された平行光源と，及び
画面上に表示を再度作り出すために配置されたレンズ手段とを含む，
装置。
【請求項１５】
前記受信手段及び処理手段は，連続するターゲットイメージ間の前記間隔内で入力されたターゲットイメージの前記位相情報を取り出すことができる，請求項１４に記載の装置。
【請求項１６】
前記空間光変調装置は，複数の透明要素を有する，請求項１４に記載の装置。
【請求項１７】
各要素は，前記要素を通して光波の位相を，所定の位相情報に変化させる，請求項１６に記載の装置。
【請求項１８】
前記各要素の位相変化は，前記他の要素の位相変化の影響を受けない，請求項１７に記載の装置。
【請求項１９】
前記複数要素は，前記処理手段によって受信した位相情報を示す位相情報を作り出す，請求項１６に記載の装置。
【請求項２０】
ターゲットイメージを表す，入力された強度情報から位相情報を取り出す方法であって，
複数の要素を有する第１データセットを確立する工程であって，前記複数の要素の各要素は位相情報および振幅情報を含み，前記振幅情報は前記入力された強度情報から導き出されるものである工程と，
複数の要素を有する第２データセットを作り出すために第１データセットをフーリエ変換する工程であって，前記複数の要素の各要素は位相情報および振幅情報を含む工程と，
記憶装置の中の前記第２データセットからの位相情報を量子化し，保存する工程と，
複数の要素を有する第３データセットを生成する工程であって，前記複数の要素の各要素は振幅情報及び位相情報を含み，前記位相情報は，前記第２データセットから導き出される工程と，
複数の要素を有する第４データセットを作り出すために前記第３データセットを逆フーリエ変換する工程であって，前記複数の要素の各要素は振幅情報及び位相情報を含む工程と，
複数の要素を有する第５データセットを作り出すために，入力されたデータによって第４データセットを修正する工程であって，前記複数の要素の各要素は振幅情報及び位相情報を含む工程と，
続いて起こる反復の第１データセットとして前記第５データセットを使用する工程と，
を繰り返す工程と，
続いて起こる反復において用いるため，メモリ内の前記第データセットの位相情報を保存する工程を含み，ｎ番目の反復に対する前記第１データセットの位相情報が，前記（ｎ−１）番目の反復及び前記（ｎ−２）番目の反復に対する前記第４データセットの位相情報間の前記差の率に応じて定められた形式である，
方法。
【請求項２１】
ｎ番目の反復に対する第５データセットの位相情報を，（ｎ＋１）番目の反復に対する第1データセットの位相情報として利用する工程を含む，請求項２０に記載の方法。
【請求項２２】
（ｎ＋１）番目の反復に対する前記第１データセットの前記振幅情報は，前記ｎ番目の反復に対するターゲットイメージ強度情報と前記第５データセットの振幅情報との間で率に応じて定められた形式である，請求項２０に記載の方法。
【請求項２３】
前記第３データセットの振幅情報を統一に設定する工程をさらに含む，請求項２０に記載の方法。
【請求項２４】
前記第１反復に対する前記第１データセットとして，ランダムな位相情報を生成する工程をさらに含む，請求項２０に記載の方法。
【請求項２５】
前記入力された強度データが時と共に変化する請求項２０に記載の方法。
【請求項２６】
前記入力された強度データが変化する前に，少なくとも１回の反復を完了させる工程をさらに含む，請求項２５に記載の方法。
【請求項２７】
リアルタイムホログラフィック投影方法であって，
一時的な一連の強度情報項目（フレーム）を受信する工程と，
請求項２０に記載の方法を使って，比例制御フィードバックを用いる反復方法によって，各フレームの遠視野回析パターン又はターゲットイメージの前記位相情報を取り出す工程と，
前記位相情報を空間光変調器に出力する工程と，
平行光源を有する空間光変調器を連続的に照射する工程と，
ホログラフィックリプレイフィールドを作り出すために，前記空間光変調器から反射される又は前記空間光変調器を通して送信される位相を修正した光を収集する及び焦点を合わせる工程と，
を含む方法。
【請求項２８】
従来のビデオ速度で前記一連のフレームを受信する工程をさらに含む，請求項２７に記載の投影方法。
【請求項２９】
前記フィードバックが振幅情報および位相情報を含むデータセットである，請求項２７に記載の投影方法。
【請求項３０】
前記一連のターゲットイメージを表すものとして，ヒト観察者に認識されうる前記ターゲットイメージのダイナミックなホログラフィック表示を生じさせるために，前記フェーズ情報計算の十分な反復がフレーム間の時間で完成するようにフィードバックデータを最適化する工程をさらに含む，請求項２９に記載の投影の方法。
【請求項３１】
ゼロを有する出力された位相情報の周辺部を埋める工程をさらに含む，請求項２７に記載の投影方法。
【請求項３２】
受信フレームの受信速度と同じ又は受信フレームの受信速度よりも早い更新速度で位相情報データを有する空間光変調器を更新する工程をさらに含む，請求項２７に記載の投影方法。
【請求項３３】
入力されたターゲットイメージ強度情報のリアルタイムホログラフィック表示を作り出すための装置であって，
一時的な一連のターゲットイメージ強度情報項目を受信する手段と，
請求項２０に記載の方法を実施する処理手段と，
を含み，
ここで，前記位相情報は各ターゲットイメージを取り出され，
空間光変調器と，
前記空間光変調器を照射するために配置された平行光源と，及び
画面上に表示を再度作り出すために配置されたレンズ手段とを含む，
装置。
【請求項３４】
前記受信手段及び処理手段は，連続するターゲットイメージ間の前記間隔内で入力されたターゲットイメージの前記位相情報を取り出すことができる，請求項３３に記載の装置。
【請求項３５】
前記空間光変調装置は，複数の透明要素を有する，請求項３３に記載の装置。
【請求項３６】
各要素は，前記要素を通して光波の位相を，所定の位相情報に変化させる，請求項３５に記載の装置。
【請求項３７】
前記各要素の位相変化は，前記他の要素の位相変化の影響を受けない，請求項３６に記載の装置。
【請求項３８】
前記複数要素は，前記処理手段によって受信した位相情報を示す位相情報を作り出す，請求項３５に記載の装置。